(57)【要約】【課題】化粧品のシースルーパッケージなどとして使用され、被印刷体の表面に金属箔が形成されて成る印刷物において、安価に作成でき、かつ色の幅を拡げる。【解決手段】透明なＰＥＴシートから成る被印刷体１２の表面に、インキによる第１の印刷層１３と、コールド箔層１４と、インキによる第２の印刷層１５と、ニス層１６とを、この順で形成する。したがって、従来では、光沢を得るには金属箔そのものを使用し、所望とする地色の特殊箔を使用する必用があり、高価で、表現できる色に制限が多く、また微妙な色合いの調整も難しかったが、本発明では、２つ２の印刷層１３，１５のインキの色をベースに、間のコールド箔層１４で光沢を発生させるので、表現できる色の幅を拡げることができるとともに、微妙な色合いの調整も容易になる。また、コールド箔層１４には、共通にアルミを使用することができ、非常に安価に作成することができる。【選択図】図１
2016068439.tif 000002
【特許請求の範囲】
【請求項１】
被印刷体の表面に形成されるインキによる第１の印刷層と、
前記第１の印刷層上に形成されるコールド箔層と、
前記コールド箔上に形成されるインキによる第２の印刷層とを含むことを特徴とする印刷物。
【請求項２】
前記第１の印刷層は、紫外線照射によって硬化するインキであることを特徴とする請求項１記載の印刷物。
【請求項３】
前記被印刷体は、ポリエチレンテレフタレートまたはポリプロピレンの透明なシートであることを特徴とする請求項１または２記載の印刷物。
【請求項４】
前記コールド箔の厚みは１０〜２０μｍであることを特徴とする請求項３記載の印刷物。
【請求項５】
前記第２の印刷層上には、透明なニスが塗布されていることを特徴とする請求項３または４記載の印刷物。
【請求項６】
前記第２の印刷層は、前記コールド箔の全面を覆うことを特徴とする請求項３〜５の何れか１項に記載の印刷物。
【請求項７】
前記被印刷体の第１の印刷層が形成される面とは反対側の面には、ホットスタンプによる印刷がさらに行われていることを特徴とする請求項３〜６の何れか１項に記載の印刷物。
【請求項８】
少なくとも前記第１の印刷層およびコールド箔は、フレキソ印刷で形成されることを特徴とする請求項３〜７の何れか１項に記載の印刷物。
【請求項９】
化粧品のシースルーパッケージとして使用されることを特徴とする請求項３〜８の何れか１項に記載の印刷物。
【請求項１０】
被印刷体の表面に、インキによる第１の印刷層を形成する工程と、
前記第１の印刷層上に、コールド箔を形成する工程と、
前記コールド箔上に、インキによる第２の印刷層を形成する工程とを含むことを特徴とする印刷方法。
【請求項１１】
前記第１の印刷層は紫外線照射によって硬化するインキであり、
前記第１の印刷層を形成する工程はインキを塗布する工程であり、
前記コールド箔を形成する工程は、第１の印刷層上にコールド箔を積層し、紫外線を照射する工程であることを特徴とする請求項１０記載の印刷方法。
【請求項１２】
前記被印刷体は、ポリエチレンテレフタレートまたはポリプロピレンの透明なシートであることを特徴とする請求項１０または１１記載の印刷方法。
【発明の詳細な説明】
【技術分野】
【０００１】
本発明は、化粧品のシースルーパッケージなどとして好適に実施される印刷物およびその印刷物の印刷方法に関する。
【背景技術】
【０００２】
上記の化粧品のパッケージなどでは、美麗で、商品価値を向上するために、カラー印刷と、光沢（艶）を出す金属箔とを併用することが行われている。たとえば、特許文献１では、被印刷体の表面に、所望パターンに接着剤を塗布し、転写シートの金属膜を転写させた後、インキによるカラー印刷を行っている。前記転写シートは、樹脂製のシート材上に、剥離層を介して、前記金属膜が形成されている。前記金属膜は、金、銀、銅、アルミ等が、蒸着やスパッタ等で形成される。
【０００３】
また、このようなインキと金属箔とを併用した印刷物は、従来では、たとえば特許文献２のように、インキによる印刷層または金属箔の一部に開口部を形成して、金属箔またはインキによる印刷層を、模様などとして露出させたり、金属箔とインキによる印刷層とを並べたものが存在する。
【先行技術文献】
【特許文献】
【０００４】
【特許文献１】特開２０１３−１５８９８６号公報
【特許文献２】特開２００３−２２３１０８号公報
【発明の概要】
【発明が解決しようとする課題】
【０００５】
したがって、従来からのインキと金属箔とを併用した印刷物は、印刷工程の関係で、一部に重なったりはするものの、基本的に、インキおよび金属箔それぞれの地色を見せている。したがって、金属箔の部分を所望とする色で見せようとすれば、それぞれの色に合わせて、前記の金属を調合した特殊箔を使用する必用があり、高価であるとともに、表現できる色に制限が多く、また微妙な色合いの調整も難しいという問題がある。
【０００６】
本発明の目的は、安価で、表現できる色に制限が多く、かつ微妙な色合いの調整も容易な印刷物および印刷方法を提供することである。
【課題を解決するための手段】
【０００７】
本発明の印刷物は、被印刷体の表面に形成されるインキによる第１の印刷層と、前記第１の印刷層上に形成されるコールド箔層と、前記コールド箔上に形成されるインキによる第２の印刷層とを含むことを特徴とする。
【０００８】
また、本発明の印刷方法は、被印刷体の表面に、インキによる第１の印刷層を形成する工程と、前記第１の印刷層上に、コールド箔を形成する工程と、前記コールド箔上に、インキによる第２の印刷層を形成する工程とを含むことを特徴とする。
【０００９】
上記の構成によれば、被印刷体の表面に金属箔が形成されて成る印刷物としては、従来から、インキによる印刷層または金属箔の一部に開口部を形成して、金属箔またはインキによる印刷層を、模様などとして露出させたり、金属箔とインキによる印刷層とを並べたものが存在するが、本発明では、インキによる第１の印刷層の上に、アルミなどの金属から成るコールド箔を形成し、さらにインキによる第２の印刷層を形成して作成する。
【００１０】
したがって、従来では、光沢を得る（艶出しする）には、金属箔そのものを使用し、そのため所望とする地色の特殊箔を使用する必用があり、高価で、表現できる色に制限が多く、また微妙な色合いの調整も難しかったが、本発明では、第１および第２の印刷層のインキの色をベースに、コールド箔で光沢を発生させることができ、表現できる色の幅を拡げることができるとともに、微妙な色合いの調整も容易である。また、色合いは第１および第２の印刷層のインキによって略決定されるので、コールド箔としては、共通のものを使用することができ、納期を短縮することができるとともに、アルミを使用することで、非常に安価に作成することができる。
【００１１】
さらにまた、本発明の印刷物では、前記第１の印刷層は、紫外線照射によって硬化するインキであることを特徴とする。
【００１２】
また、本発明の印刷方法では、前記第１の印刷層は紫外線照射によって硬化するインキであり、前記第１の印刷層を形成する工程はインキを塗布する工程であり、前記コールド箔を形成する工程は、第１の印刷層上にコールド箔を積層し、紫外線を照射する工程であることを特徴とする。
【００１３】
上記の構成によれば、第１の印刷層を印刷形成した後、コールド箔を積層し、紫外線を照射することで、コールド箔を固定することができる。
【００１４】
さらにまた、本発明の印刷物および印刷方法では、前記被印刷体は、ポリエチレンテレフタレート（ＰＥＴ）またはポリプロピレン（ＰＰ）の透明なシートであることを特徴とする。
【００１５】
上記の構成によれば、ポリエチレンテレフタレート（ＰＥＴ）またはポリプロピレン（ＰＰ）は、非常にクリアな（透明度が高い）ものを得ることができる。
【００１６】
したがって、被印刷体としてのそれらを通して、第１の印刷層側を透過して見ると、非常に美麗で、好適である。
【００１７】
好ましくは、前記コールド箔の厚みは１０〜２０μｍであることを特徴とする。
【００１８】
上記の構成によれば、第１の印刷層（被印刷体）側から見て、該第１の印刷層およびコールド箔を通して、第２の印刷層の色合いも含めて、光沢のある色合いを表現することができ、好適である。
【００１９】
また、本発明の印刷物では、前記第２の印刷層上には、透明なニスが塗布されていることを特徴とする。
【００２０】
上記の構成によれば、第２の印刷層もニスによって保護されるとともに、そのニスが透明であるので、該印刷物を第２の印刷層側からも見ることができる。そして、上述と同様に、この第２の印刷層およびコールド箔の厚みを適宜設定することで、該第２の印刷層（ニス）側から見て、該第２の印刷層およびコールド箔を通して、第１の印刷層の色合いも含めて、光沢のある色合いを表現することができる。
【００２１】
さらにまた、本発明の印刷物では、前記第２の印刷層は、前記コールド箔の全面を覆うことを特徴とする。
【００２２】
上記の構成によれば、コールド箔を模様などとして魅せるのではなく、光沢を強調して魅せるので、商品価値を高めることができる。
【００２３】
また、本発明の印刷物では、前記被印刷体の第１の印刷層が形成される面とは反対側の面には、ホットスタンプによる印刷がさらに行われていることを特徴とする。
【００２４】
上記の構成によれば、ホットスタンプによる金属箔の印刷は、被印刷体の歪みも生じるので、通常、１回しか行われないので、コールド箔と２種類の金属箔で、付加価値の高い印刷を行うことができる。
【００２５】
さらにまた、本発明の印刷物では、少なくとも前記第１の印刷層およびコールド箔は、フレキソ印刷で形成されることを特徴とする。
【００２６】
上記の構成によれば、コールド箔は、オフセット印刷でも形成することは可能であるが、フレキソ印刷は、印刷面の全体に均等な圧を掛け易い。また、フレキソ印刷は、第１の印刷層を形成する際のインキの量も、アニックスローラとドクターとによって正確に規定することができる。
【００２７】
したがって、極めて微妙な色合いの光沢を、広い面積に均一に形成することができ、好適である。
【００２８】
また、本発明の印刷物は、化粧品のシースルーパッケージとして使用されることを特徴とする。
【００２９】
上記の構成によれば、透明な樹脂シートを折り曲げて形成されるシースルーパッケージにおいて、上記のような光沢を有し、色の幅の広い印刷は、化粧品のパッケージとして効果的で、商品価値を高めることができる。
【発明の効果】
【００３０】
本発明の印刷物および印刷方法は、以上のように、印刷物の光沢を得る（艶出しする）にあたって、第１および第２の印刷層のインキの色をベースに、それらに挟まれたコールド箔で光沢を発生させるので、表現できる色の幅を拡げることができるとともに、微妙な色合いの調整も容易である。また、色合いは第１および第２の印刷層のインキによって略決定されるので、コールド箔としては、共通のものを使用することができ、納期を短縮することができるとともに、アルミを使用することで、非常に安価に作成することができる。
【図面の簡単な説明】
【００３１】
【図１】本発明の実施の一形態に係る印刷物の一部分の断面図である。
【図２】前記印刷物の全体を展開して示す平面図である。
【図３】前記印刷物を印刷するフレキソ印刷機の１色分の構成を模式的に示す側面図である。
【発明を実施するための形態】
【００３２】
図１は本発明の実施の一形態に係る印刷物１の一部分の断面図であり、図２は前記印刷物１の全体を展開して示す平面図である。図２において、図１の断面をＩ−Ｉで示している。この印刷物１は、化粧品のシースルーパッケージとして使用され、美麗であることで、商品価値を大いに高めることができるものである。
【００３３】
この印刷物１は、後述するような本発明に係る印刷が施された透明な樹脂シートを折り曲げ、接着して箱体に形成されるものである。図２の例では、矩形の正面板２の向かって左側から第１の側板３が延び、右側から第２の側板４、裏板５およびのりしろ６が延び、上側から蓋板１１および差し込み片２１が延び、下側から底板片３１が延びて形成される。側板３，４および裏板５の下方からは、底板片３２，３３，３４がそれぞれ延びて形成され、該印刷物１が箱形に組立てられた状態で、これらの底板片３１〜３４が組み合わさって底板が形成される。側板３，４の上方からは、蓋板１１の両側部の隙間を塞ぐカバー片３５，３６がそれぞれ延びて形成される。
【００３４】
該印刷物１は、側板３にのりしろ６が接着や溶着などで固定され、畳んだ状態で化粧品メーカへ出荷され、メーカにて、拡げられ、底板片３１〜３４が組み合わされて箱形となった状態で、内部に商品が収納され、カバー片３５，３６が前記商品を覆い、さらに差し込み片２１が裏板５と側板３，４との間に差し込まれることで、蓋板１１が上部を塞ぐ。蓋板１１の不所望な開放を防止するために、差し込み片２１の両側からは切れ込み２２，２３が形成され、対応してカバー片３５，３６の後端部には、突片３７，３８がそれぞれ形成されている。
【００３５】
上述のように、構成される印刷物１において、本実施形態では、正面板２には、ホットスタンプで、商品名やメーカ名などのロゴ２４，２５が印刷され、蓋板１１には、本発明に係る印刷が施される。本実施形態では、蓋板１１以外では、正面板２に前記のホットスタンプが形成されるだけで、残余の部分は、ポリエチレンテレフタレート（ＰＥＴ）から成る被印刷体１２のままである。商品の品番やロット番号等は、本実施形態では、収納される商品自体や、別途の説明書やシールなどに印刷される。
【００３６】
図１を参照して、この印刷物１の蓋板１１の部分は、前記ポリエチレンテレフタレート（ＰＥＴ）から成る被印刷体１２の表面に、インキによる第１の印刷層１３と、コールド箔層１４と、インキによる第２の印刷層１５と、ニス層１６とが、この順で積層されるとともに、被印刷体１２の裏面側に、マーク層１７が形成されて構成される。
【００３７】
第１の印刷層１３は、紫外線照射によって硬化するインキであり、該第１の印刷層１３を形成する工程は、後述のフレキソ印刷機５１によってインキを塗布する工程から成る。次に、前記フレキソ印刷機５１によってコールド箔層１４を形成する工程が行われ、該工程では、第１の印刷層１３上に、アルミ箔から成るコールド箔層１４を積層し、紫外線を照射することで、第１の印刷層１３を硬化させるとともに、コールド箔１４の固定も行われる。続いて、第２の印刷層１５を形成する工程が、前記フレキソ印刷機５１によってインキを塗布することで行われる。続いて、ニス層１６を形成する工程が、前記フレキソ印刷機５１によって行われる。その後、前記正面板２のロゴ２４，２５およびが蓋板１１のマーク層１７が、別途のホットスタンプ機で裏面側に形成された後、別途の型抜き機によって、シート体から図２で示すような印刷物１の切り出しが行われる。
【００３８】
図３は、上記のような印刷物１を印刷するフレキソ印刷機５１の１色分の構成を、模式的に示す側面図である。本発明の印刷物１は、オフセット印刷でも形成することは可能である。しかしながら、フレキソ印刷機５１は、図３で示すように、インキ槽５２内のインキ５３にローラ５４の一部を浸漬させて、該ローラ５４の表面に付着させたインキを、さらにアニックスローラ５５に転写し、ドクター５６によって掻き落すことで、極めて正確で、均一な厚みのインキ層を該アニックスローラ５５の外周に形成し、そのインキ層を版５７から被印刷体１２の表面に転写することができる。版５７に対向して、被印刷体１２を挟持する支持ローラ５８が設けられている。したがって、このフレキソ印刷機５１によって、第１の印刷層１３および第２の印刷層１５の極めて微妙な色合いを、広い面積に均一に形成することができる。フレキソ印刷機では、この図３のような構成が、多数段設けられており、印刷すべき印刷物１に応じて、１または複数段が適宜使用される。
【００３９】
さらに、フレキソ印刷機５１では、支持ローラ５８に対する版５７の平行度および接触圧を細かく調整可能である。そこで、コールド箔層１４の転写を、このフレキソ印刷機５１で行うことで、該コールド箔層１４の転写も、極めて正確かつ均一に行うことができる。コールド箔層１４の転写の際は、アニックスローラ５５などは取り外され、版５７と支持ローラ５８との間には、コールド箔層１４のアルミフィルムおよび第１の印刷層１３が形成された被印刷体１２が、相互に接触しながら通過する。
【００４０】
このようにして作成することで、従来は、被印刷体の表面に金属箔が形成されて成る印刷物としては、インキによる印刷層または金属箔の一部に開口部を形成して、金属箔またはインキによる印刷層を、模様などとして露出させたり、金属箔とインキによる印刷層とを並べたものであり、光沢を得る（艶出しする）には、金属箔そのものを使用し、そのため所望とする地色の特殊箔を使用する必用があり、高価で、表現できる色に制限が多く、また微妙な色合いの調整も難しかったのに対して、本実施形態の印刷物１およびその印刷方法によれば、インキによる第１の印刷層１３の上に、アルミから成るコールド箔層１４を形成し、さらにインキによる第２の印刷層１５を形成するので、第１の印刷層１３および第２の印刷層１５のインキの色をベースに、コールド箔層１４で光沢を発生させることができ、表現できる色の幅を拡げることができるとともに、微妙な色合いの調整も容易になる。また、色合いは第１の印刷層１３および第２の印刷層１５のインキによって略決定されるので、コールド箔層１４としては、共通のものを使用することができ、納期を短縮することができるとともに、アルミを使用することで、非常に安価に作成することができる。
【００４１】
しかも、本実施形態の印刷物１では、蓋板１１の部分において、第２の印刷層１５は、コールド箔層１４の全面を覆っている。したがって、コールド箔層１４を模様などとして魅せるのではなく、光沢を強調して魅せるので、商品価値を高めることができる。
【００４２】
さらに、被印刷体１２の第１の印刷層１３が形成される面とは反対側の面には、ホットスタンプによってマーク層１７を印刷しており、該ホットスタンプによる金属箔の印刷は、被印刷体１２の歪みも生じるので、通常は１回しか行われないので、コールド箔層１４と２種類の金属箔で、付加価値の高い印刷を行うことができる。たとえば、前記コールド箔層１４がアルミによる銀色で、マーク層１７は金箔である。
【００４３】
さらにまた、本実施形態の印刷物１およびその印刷方法によれば、第１の印刷層１３が、紫外線照射によって硬化するインキであり、コールド箔を積層し、紫外線を照射することで、コールド箔を固定できるので、接着を不要にすることができる。
【００４４】
また、本実施形態の印刷物１およびその印刷方法によれば、印刷のベースとなる被印刷体１２は、ポリエチレンテレフタレート（ＰＥＴ）の透明なシートから成るので、非常にクリアな（透明度が高い）ものを得ることができる。したがって、被印刷体１２としてのその透明なシートを通して、第１の印刷層１３側を透過して見ると、非常に美麗である。特に、透明な樹脂シートを折り曲げて形成されるシースルーパッケージにおいて、上記のような光沢を有し、色の幅の広い印刷は、前述の化粧品のシースルーパッケージとして効果的で、商品価値を高めることができる。なお、被印刷体１２には、ポリプロピレン（ＰＰ）を用いることもできる。
【００４５】
好ましくは、前記コールド箔層１４の厚みは１０〜２０μｍとされる。第１の印刷層１３および第２の印刷層１５の厚みは、所望とする色に応じて、適宜定められる。したがって、透明な被印刷体１２と合わせて、たとえば、第１の印刷層１３（被印刷体１２）側から見て、該印刷物１の裏側が、うっすらと透けて見える程度となり、該第１の印刷層１３およびコールド箔層１４を通して、第２の印刷層１５の色合いも含めて、光沢のある色合いを表現することができ、好適である。
【００４６】
さらに好ましくは、本実施形態の印刷物１では、第２の印刷層１５上には、透明なニス層１６が塗布によって形成されている。したがって、第２の印刷層１５もニス層１６によって保護されるとともに、そのニスが透明であるので、該印刷物１を第２の印刷層１５側からも見ることができる。そのため、上述と同様に、この第２の印刷層１５およびコールド箔層１４の厚みを適宜設定することで、該第２の印刷層１５（ニス）側から見て、該第２の印刷層１５およびコールド箔層１４を通して、第１の印刷層１３の色合いも含めて、光沢のある色合いを表現することができる。
【００４７】
なお、被印刷体１２の一方の（表）面に第１の印刷層１３が形成され、他方の面にコールド箔層１４および第２の印刷層１５が形成されてもよい。しかしながら、その場合、保護のニス層１６が両面に必用になるとともに、第１の印刷層１３のインキによる紫外線硬化を利用して、コールド箔層１４を固定することは行えず、上述のように、被印刷体１２の一方の（表）面側に、３つの層１３〜１５を積層することが好ましい。
【符号の説明】
【００４８】
１    印刷物
２    正面板
３    第１の側板
４    第２の側板
５    裏板
６    のりしろ
１１    蓋板
１２    被印刷体
１３    第１の印刷層
１４    コールド箔層
１５    第２の印刷層
１６    ニス層
１７    マーク層
２１    差し込み片
２４，２５    ロゴ
３１〜３４    底板片
３５，３６    カバー片
５１    フレキソ印刷機
５２    インキ槽
５３    インキ
５４    ローラ
５５    アニックスローラ
５６    ドクター
５７    版
５８    支持ローラ
【図１】
2016068439.tif 000003
【図３】
2016068439.tif 000004
【図２】
2016068439.tif 000005